(57)【特許請求の範囲】
【請求項１】
譜面の下縁を受ける鍵盤楽器の譜面受け部（５）に対して取り付けられるための取付部を有するケース体に対して、組み付け部を有するカバーが前記組み付け部で組み付けられて成る筐体部と、前記筐体部に対して回動自在にされ、譜面を押さえるための譜面押さえ用部材（６１）とを有してユニット化された、鍵盤楽器の譜面台装置であって、
前記譜面押さえ用部材は、回動操作により、前記筐体部に収納され得ると共に該筐体部に対して立設状態となり得るように構成され、
譜面の下縁を受ける鍵盤楽器の譜面受け部に、前記ユニット化された譜面台装置を取り付け、前記譜面押さえ用部材を前記筐体部に対して立設状態としたとき、前記譜面押さえ用部材が前記譜面受け部に対して起立して前記譜面を該譜面の表面から押さえ得るように構成され、
前記筐体部の前記カバーに設けられ、前記譜面押さえ用部材の回動による前記譜面受け部に対する起立角度を所定角度に規制するストッパ部（４５ａ）を有し、
前記譜面押さえ用部材は、回動操作により横倒したとき前記筐体部に収納される一方、回動操作により前記所定角度に起立したとき前記譜面を該譜面の表面から押さえ得るように構成されたことを特徴とする鍵盤楽器の譜面台装置。
【請求項２】
譜面の下縁を受ける鍵盤楽器の譜面受け部（５）に対して取り付けられるための取付部を有するケース体に対して、組み付け部を有するカバーが前記組み付け部で組み付けられて成る筐体部と、前記筐体部に対して回動自在にされ、譜面を押さえるための譜面押さえ用部材（６１）とを有してユニット化された、鍵盤楽器の譜面台装置であって、
前記譜面押さえ用部材は、回動操作により、前記筐体部に収納され得ると共に該筐体部に対して立設状態となり得るように構成され、
譜面の下縁を受ける鍵盤楽器の譜面受け部に、前記ユニット化された譜面台装置を取り付け、前記譜面押さえ用部材を前記筐体部に対して立設状態としたとき、前記譜面押さえ用部材が前記譜面受け部に対して起立して前記譜面を該譜面の表面から押さえ得るように構成され、
前記譜面押さえ用部材には、軸部（６３）が固定され、前記カバー及び前記ケース体にはそれぞれ、前記軸部に対応する軸受け用凹面（２９、４７）が形成され、前記譜面押さえ用部材は、その前記軸部が、前記カバーの軸受け用凹面と前記ケース体の軸受け用凹面とに挟着されて両軸受け用凹面に対して回動自在とされることで、前記筐体部に対して回動可能となっていることを特徴とする鍵盤楽器の譜面台装置。
【請求項３】
譜面の下縁を受ける譜面受け部（５）と、
前記譜面受け部に回動自在に支持された譜面押さえ用部材（６１）とを備え、
前記譜面押さえ用部材は、回動操作により横倒したとき前記譜面受け部に収納状態となる一方、回動操作により起立したとき前記譜面を該譜面の表面から押さえ得るように構成され、
前記譜面押さえ用部材の収納状態では、前記譜面受け部に設けた指入れ用凹部（２５）に前記譜面押さえ用部材の自由端部（６１ａ）が延出し、前記指入れ用凹部側から前記譜面押さえ用部材の自由端部を起こすことで該譜面押さえ用部材の起立方向への回動操作が可能なように構成されたことを特徴とする譜面受け構造。
【発明の詳細な説明】
【０００１】
【発明の属する技術の分野】
本発明は、譜面を押さえるための機構を有する鍵盤楽器の譜面台装置及び譜面受け構造に関する。
【０００２】
【従来の技術】
従来、ピアノ等の鍵盤楽器には、譜面を立て掛けるための譜面台装置が設けられる。譜面台装置は一般に、譜面の背面を支持する譜面板と譜面の下縁を受ける譜面受けとから構成され、天板の上面等に設けられる。また、譜面が製本されたものである場合は、開いたページが勝手に戻ったり、閉じてしまったりすることがないように、譜面を押さえることが通常行われる。
【０００３】
譜面を押さえるには、例えば、天板上に棒状部材を垂設し、この棒状部材で譜面を表面から押しつけることが考えられる。また、より簡単な態様では、クリップや挟み具で譜面の左右両端部を譜面板ごと挟むことで、所望のページが開いた状態を維持するやり方も考えられる。
【０００４】
【発明が解決しようとする課題】
しかしながら、上記従来の、天板上に棒状部材を垂設する態様では、上方から手を付いたり外力を加えたりした場合でも、棒状部材が依然として真っ直ぐ起立した状態のままであるときは、危険であり、一方、譜面を載置しない非使用時には棒状部材が邪魔でもある。
【０００５】
また、譜面押さえのための機構を設ける上で、個々の部品を天板上等に組み付けなければならないので、組み付け作業が煩雑である。
【０００６】
さらに、上記従来の、クリップや挟み具で譜面を挟む態様では、ページをめくる度毎の操作が面倒である。
【０００８】
本発明は上記従来技術の問題を解決するためになされたものであり、その第１の目的は、譜面押さえ用機構のユニット化により組み付けを容易にすることができる鍵盤楽器の譜面台装置を提供することにある。
【０００９】
本発明の第２の目的は、譜面を押さえる際の譜面押さえ用部材の起立操作を容易にすることができる譜面受け構造を提供することにある。
【００１３】
【課題を解決するための手段】
上記第１の目的を達成するために本発明の請求項１の鍵盤楽器の譜面台装置は、譜面の下縁を受ける鍵盤楽器の譜面受け部（５）に対して取り付けられるための取付部を有するケース体に対して、組み付け部を有するカバーが前記組み付け部で組み付けられて成る筐体部と、前記筐体部に対して回動自在にされ、譜面を押さえるための譜面押さえ用部材（６１）とを有してユニット化された、鍵盤楽器の譜面台装置であって、前記譜面押さえ用部材は、回動操作により、前記筐体部に収納され得ると共に該筐体部に対して立設状態となり得るように構成され、譜面の下縁を受ける鍵盤楽器の譜面受け部に、前記ユニット化された譜面台装置を取り付け、前記譜面押さえ用部材を前記筐体部に対して立設状態としたとき、前記譜面押さえ用部材が前記譜面受け部に対して起立して前記譜面を該譜面の表面から押さえ得るように構成され、前記筐体部の前記カバーに設けられ、前記譜面押さえ用部材の回動による前記譜面受け部に対する起立角度を所定角度に規制するストッパ部（４５ａ）を有し、前記譜面押さえ用部材は、回動操作により横倒したとき前記筐体部に収納される一方、回動操作により前記所定角度に起立したとき前記譜面を該譜面の表面から押さえ得るように構成されたことを特徴とする。
上記第１の目的を達成するために本発明の請求項２の鍵盤楽器の譜面台装置は、譜面の下縁を受ける鍵盤楽器の譜面受け部（５）に対して取り付けられるための取付部を有するケース体に対して、組み付け部を有するカバーが前記組み付け部で組み付けられて成る筐体部と、前記筐体部に対して回動自在にされ、譜面を押さえるための譜面押さえ用部材（６１）とを有してユニット化された、鍵盤楽器の譜面台装置であって、前記譜面押さえ用部材は、回動操作により、前記筐体部に収納され得ると共に該筐体部に対して立設状態となり得るように構成され、譜面の下縁を受ける鍵盤楽器の譜面受け部に、前記ユニット化された譜面台装置を取り付け、前記譜面押さえ用部材を前記筐体部に対して立設状態としたとき、前記譜面押さえ用部材が前記譜面受け部に対して起立して前記譜面を該譜面の表面から押さえ得るように構成され、前記譜面押さえ用部材には、軸部（６３）が固定され、前記カバー及び前記ケース体にはそれぞれ、前記軸部に対応する軸受け用凹面（２９、４７）が形成され、前記譜面押さえ用部材は、その前記軸部が、前記カバーの軸受け用凹面と前記ケース体の軸受け用凹面とに挟着されて両軸受け用凹面に対して回動自在とされることで、前記筐体部に対して回動可能となっていることを特徴とする。
【００１５】
この構成によれば、譜面台装置をユニットとして事前に製造し、これを鍵盤楽器の譜面受け部に取り付けるようにしたことで、譜面押さえ用機構のための部品を個々に譜面受け部に取り付ける場合に比し、製造工程が簡略化される。よって、譜面押さえ用機構のユニット化により組み付けを容易にすることができる。
【００１６】
なお、譜面台装置は、譜面受け部に２個設ける場合、同一に構成し、これらを左右対称の向きに配設するようにしてもよい。これにより、譜面台装置自体は１種類のみ用意すればよいので、製造コストが削減される。
【００１７】
上記第２の目的を達成するために本発明の請求項３の譜面受け構造は、譜面の下縁を受ける譜面受け部（５）と、前記譜面受け部に回動自在に支持された譜面押さえ用部材（６１）とを備え、前記譜面押さえ用部材は、回動操作により横倒したとき前記譜面受け部に収納状態となる一方、回動操作により起立したとき前記譜面を該譜面の表面から押さえ得るように構成され、前記譜面押さえ用部材の収納状態では、前記譜面受け部に設けた指入れ用凹部（２５）に前記譜面押さえ用部材の自由端部（６１ａ）が延出し、前記指入れ用凹部側から前記譜面押さえ用部材の自由端部を起こすことで該譜面押さえ用部材の起立方向への回動操作が可能なように構成されたことを特徴とする。
【００１８】
この構成によれば、譜面を載置すると、譜面受け部が譜面の下縁を受ける。譜面押さえ用部材が、回動操作により横倒したときは、前記譜面受け部に収納状態となる一方、回動操作により起立したときは、譜面が表面から押さえられる。前記譜面押さえ用部材の収納状態では、前記譜面受け部に設けた指入れ用凹部に前記譜面押さえ用部材の自由端部が延出しているので、前記指入れ用凹部側に指等を入れて、前記譜面押さえ用部材の自由端部を上方に起こすことで、譜面押さえ用部材が起立方向へ回動する。よって、譜面を押さえる際の譜面押さえ用部材の起立操作を容易にすることができる。
【００１９】
なお、上記各請求項において、「譜面を該譜面の表面から押さえ得る」とは、常に押さえることを指すものではなく、譜面押さえ用部材が譜面の表面側に位置して、譜面が広がろうとするのを抑制し得るように保持することを含む概念である。例えば、譜面のページ数がある程度ある場合にそれらを押さえることができるばよく、ページ数が少ない場合には譜面の表面に常に当接している必要はない。
【００２０】
【発明の実施の形態】
以下、本発明の実施の形態を図面を参照して説明する。
【００２１】
図１は、本発明の一実施の形態に係る譜面受け構造を備えた鍵盤楽器の外観斜視図である。
【００２２】
鍵盤楽器本体１は、白鍵及び黒鍵から成る鍵盤部２、音量、音色の調整や特殊効果用等の各種操作子が設けられたパネル部３、及び天板４等を有する。本譜面受け構造は、天板４に設けた譜面受け部５、譜面板６及び譜面押さえユニット１０から構成される。なお、本実施の形態において、楽器本体１の演奏者側を前方と称する。
【００２３】
譜面板６は、天板２の上面に設けられ、斜め後方に傾斜して起立できるようになっている。譜面受け部５は、天板２の上面における譜面板６のやや前方に設けられている。譜面受け部５は、譜面板６の横幅とほぼ同じ長さ、すなわち譜面受け部５の鍵並び方向における略全長に亘る長さに形成される。図示は省略するが、譜面受け部５は、天板２をえぐった逆三角の溝状に形成され、その前側の斜面である底面５ａは、起立した譜面板６と略直角を成している。不図示の譜面が演奏等で使用される際は、譜面の背面を譜面板６で受けると共に、譜面の下縁を譜面受け部５の底面５ａで受ける。
【００２４】
譜面受け部５には、譜面押さえユニット１０が設けられている。譜面押さえユニット１０（１０Ｌ、１０Ｒ）は、左右対称の構成で左右対称の位置に一対設けられている。各譜面押さえユニット１０は押さえ棒６１（譜面押さえ用部材）を有し、同図では各押さえ棒６１が斜めに起立した状態となっている。押さえ棒６１は、この状態で、譜面を押さえる役割を果たす。譜面押さえユニット１０の詳細は後述する。
【００２５】
図２は、譜面押さえユニット１０の構成を示す図である。後述するように、譜面押さえユニット１０は譜面受け部５に対して取り付けられるものであり、取り外した状態における譜面押さえユニット１０について、同図（ａ）は平面図、同図（ｂ）は側面図、同図（ｃ）は底面図をそれぞれ示す。
【００２６】
図３は、譜面押さえユニット１０の分解斜視図である。譜面押さえユニット１０は、ケース体２０（本体）（同図（ａ））、回動体６０（同図（ｂ））及び下カバー４０（同図（ｃ））とから構成される。
【００２７】
図４は、下カバー４０の構成を示す図である。同図（ａ）は側面図、同図（ｂ）は底面図をそれぞれ示す。図５は、ケース体２０の底面図である。
【００２８】
まず、下カバー４０は、図４（ａ）に示すように、ベース部４０Ａと突出部４０Ｂとから成り、合成樹脂等で一体に形成される。ベース部４０Ａの鍔部４１、４２にはそれぞれ、取り付け用のネジ穴４３、４４が設けられている。突出部４０Ｂの鍔部４１側には、突出部４０Ｂとベース部４０Ａとを繋ぐ補強部４８が設けられている。
【００２９】
突出部４０Ｂには、溝状の凹部４５が形成されている（図３（ｃ）、図４（ｂ））。凹部４５を画設している壁４９、５０にはそれぞれ、半円状の軸受け用凹面４７が形成され、下カバー４０の長手方向における軸受け用凹面４７の両側にはそれぞれ、水平な当接面４６が形成される。凹部４５の底部の一部は、後述するように、押さえ棒６１の起立角度を規制するためのストッパ面４５ａ（ストッパ部）となっている。
【００３０】
ケース体２０は、図２（ｂ）に示すように、ベース部２０Ａと突出部２０Ｂとから成り、合成樹脂等で一体に形成される。ベース部２０Ａの鍔部２１、２２にはそれぞれ、取り付け用のネジ穴２３、２４が設けられている。ケース体２０の長手方向略中央部にはさらに、ネジ穴３０が形成される（図５）。ネジ穴２４は、下カバー４０のネジ穴４４に対応し、ネジ穴３０は、下カバー４０のネジ穴４３に対応する。
【００３１】
ベース部２０Ａには、図２（ａ）、図３（ａ）に示すように、指入れ用凹部２５及び収容溝２６が形成されている。指入れ用凹部２５は、指が入るのに十分な大きさに形成され、収容溝２６は、ケース体２０の長手方向に沿って指入れ用凹部２５に連設されている。収容溝２６は、後述する回動体６０の押さえ棒６１が円滑に回動するのに必要十分な幅及び長さを有する。後述するように、ケース体２０、回動体６０及び下カバー４０の組み付け後は、回動体６０の押さえ棒６１の先端部６１ａが指入れ用凹部２５内に延出する。
【００３２】
ベース部２０Ａの下部には、図５に示すように、収容溝２６を挟んで半円状の軸受け用凹面２９が形成され、ケース体２０の長手方向における軸受け用凹面２９の両側にはそれぞれ、水平な当接面２８が形成される。ケース体２０と下カバー４０の組み付け後は、軸受け用凹面２９は、下カバー４０の軸受け用凹面４７と対向し、当接面２８は下カバー４０の当接面４６と対向当接する。
【００３３】
回動体６０は、図３（ｂ）に示すように、押さえ棒６１、軸６２及びブシュ６３で構成される。押さえ棒６１は例えば、金属で構成され、金属製の軸６２が貫通している。軸６２の両端部には、ブシュ６３が嵌合される。ブシュ６３はゴム等で形成され、弾力を有し、その外径は、ケース体２０の軸受け用凹面２９と下カバー４０の軸受け用凹面４７とが対向して形成される円筒の内径よりやや大きい。
【００３４】
譜面押さえユニット１０は次のようにして組み立てられる。図６は、図２（ａ）のＡ−Ａ線に沿う断面図である。
【００３５】
図３に示すように、まず押さえ棒６１に軸６２及びブシュ６３を組み付けて回動体６０を構成した上で、回動体６０の両ブシュ６３が下カバー４０の両軸受け用凹面４７に載るように上方から下降させる。その際、押さえ棒６１の先端部６１ａが突出部４０Ｂに対してネジ穴４３側の方向を向くようにする。
【００３６】
次に、ケース体２０のネジ穴２４、３０と下カバー４０のネジ穴４４、４３との位置が合致するように、ケース体２０を上方から組み付ける。すると、ケース体２０の軸受け用凹面２９と下カバー４０の軸受け用凹面４７とが回動体６０の両ブシュ６３を挟んで対向する。この状態から、ケース体２０のネジ穴３０及び下カバー４０のネジ穴４３にネジ１１を螺合すると（図２（ｂ）、（ｃ）、図６）、ケース体２０の当接面２８が下カバー４０の当接面４６に当接する（図６）。これによって、組立が完了する。このように、譜面押さえユニット１０は、ケース体２０、下カバー４０及び回動体６０を組み付けることで、１つのユニットとして構成される。
【００３７】
譜面押さえユニット１０の組立後は、図６に示すように、ケース体２０の軸受け用凹面２９と下カバー４０の軸受け用凹面４７とで、回動体６０の両ブシュ６３が挟着される。これにより、押さえ棒６１は、軸６２を回動中心として、ケース体２０及び下カバー４０に対して回動自在となる。また、上述したように、組立前のブシュ６３の外径は、両軸受け用凹面２９、４７が対向して形成される円筒の内径よりやや大きいので、両軸受け用凹面２９、４７によって、軸６２がブシュ６３を介して適当に締め付けられる。これにより、ブシュ６３は、押さえ棒６１の回動に対して適当な摩擦抵抗を発生させることができる。この摩擦抵抗により、後述する押さえ棒６１の回動範囲において、押さえ棒６１を任意の回動位置に保持させることができ、使用勝手がよい。
【００３８】
図７は、譜面押さえユニット１０を楽器本体１に取り付けた状態を示す部分断面図である。同図は、図２（ａ）のＡ−Ａ線に沿う断面（図６）に対応するが、押さえ棒６１の横倒状態及び起立状態を併せて示している。
【００３９】
上記のように、譜面押さえユニット１０は、ユニットとして構成される。本実施の形態では、同一構成の譜面押さえユニット１０を２つ製造し、これらを楽器本体１に取り付ける。譜面押さえユニット１０のうち、左側のもの（１０Ｌ）は押さえ棒６１の先端部６１ａが左方を向き、右側のもの（１０Ｒ）は右方を向くように取り付けられる。図７では、左側の譜面押さえユニット１０Ｌが示されている。
【００４０】
同図に示すように、譜面受け部５の底面５ａには、ユニット嵌合穴５ｂが設けられている。このユニット嵌合穴５ｂは、長円状で、ケース体２０の突出部２０Ｂと嵌合的な大きさ及び形状を有している。左側の譜面押さえユニット１０Ｌを取り付けるには、譜面押さえユニット１０を、譜面受け部５の下方から上昇させ、突出部２０Ｂをユニット嵌合穴５ｂに挿通嵌合させて、次いでネジ穴２３とネジ穴４４、２４とにそれぞれネジ７を螺合する。ユニット嵌合穴５ｂの深さは、譜面押さえユニット１０を譜面受け部５に取り付けたとき、ケース体２０の上端が譜面受け部５から上方に突出しないように設定されている。なお右側の譜面押さえユニット１０Ｒについては、向きが左右逆となる点以外は同様に取り付けられる。
【００４１】
上述したように、押さえ棒６１は、軸６２を回動中心として回動自在である。譜面押さえユニット１０は、譜面受け部５に取り付けらた状態では、譜面受け部５の底面５ａと略平行であるので、押さえ棒６１の軸線は、回動行程において譜面板６に対して常に略平行である。しかし、押さえ棒６１の回動範囲は、図７に示す回動角度α（所定角度）の範囲に限定される。すなわち、ケース体２０の指入れ用凹部２５のややネジ穴２４寄りの板状部は、押さえ棒６１の横倒位置を規制するストッパ部２７として機能する（図６）。押さえ棒６１は、横倒したときストッパ部２７に当接し、そのとき、回動体６０はケース体２０に収容される。さらに押さえ棒６１の上面６１ｃは、譜面受け部５の底面５ａと平行になると共に、上面６１ｃの上下方向の位置が譜面受け部５の底面５ａより下方となる。従って、押さえ棒６１が横倒したときは、押さえ棒６１が譜面受け部５内に埋没する。従って、押さえ棒６１が横倒した状態では、譜面押さえユニット１０の構成部分のいずれも、譜面受け部５から上方に突出することがなく、邪魔にならないだけでなく、デザイン的にもすっきりする。
【００４２】
一方、上述したように、下カバー４０のストッパ面４５ａは、押さえ棒６１の起立角度を規制する（図６等）。押さえ棒６１を起立方向に回動させていくと、そのストッパ当接面６１ｂがストッパ面４５ａに当接することで、回動が止まる。押さえ棒６１は斜めに起立するが、この状態で、譜面を押さえることができる。すなわち、譜面受け部５に載置された譜面を表面から譜面板６側に押さえつけることができる。
【００４３】
回動角度αは、略３５度に設定されている。これにより、押さえ棒６１は、起立したとき譜面を押さえる機能を果たすと共に、上方から手を付く等によって外力が加わった場合には容易に横倒し、譜面押さえユニット１０内に自動的に収容されるので、危険が少ない。なお、回動角度αの設定は３５度に限定されるものではないが、安全確保の観点からは６０度以下に設定するのが好ましい。
【００４４】
演奏時等で譜面を押さえる必要があるときは、押さえ棒６１を横倒状態から起立させる。すなわち、指入れ用凹部２５に指等を入れて、押さえ棒６１の先端部６１ａを下方から持ち上げる。左側の押さえ棒６１は左方を向き、右側の押さえ棒６１は右方を向いているので、実際の起立操作は、各押さえ棒６１の外側から各指入れ用凹部２５に両手の各指を入れて、それぞれ押さえ棒６１を起こすことで行うことができ、起立操作が容易である。一方、押さえ棒６１の使用を終了するときは、起立している押さえ棒６１の先端部６１ａを上方から押さえれば、押さえ棒６１がケース体２０の収容溝２６内に簡単に収まる。
【００４５】
本実施の形態によれば、押さえ棒６１は、使用時には斜めに起立するようにしたので、上方からの外力が押さえ棒６１の先端部６１ａに加わっても、押さえ棒６１は横倒方向に自動的に回動するため、真っ直ぐに垂設した場合に比し、危険性が少なくなる。また、非使用時には、横倒して譜面押さえユニット１０内に収納されるようにしたので、邪魔になることがない。よって、非使用時に邪魔にならずに、使用時には安全に譜面を押さえることができる。
【００４６】
さらに、譜面押さえユニット１０を独立したユニットとして事前に製造し、これを譜面受け部５に取り付けるようにしたことで、譜面押さえ用機構のための部品を個々に譜面受け部５に取り付ける場合に比し、製造工程が簡略化される。よって、譜面押さえ用機構のユニット化により組み付けを容易にすることができる。
【００４７】
また、押さえ棒６１の譜面押さえユニット１０への収納状態では、指入れ用凹部２５に押さえ棒６１の先端部６１ａが延出するようにしたので、指入れ用凹部２５に指を入れて先端部６１ａを上方に起こすことで、押さえ棒６１が起立方向へ回動する。よって、譜面を押さえる際の押さえ棒６１の起立操作を容易にすることができる。
【００４８】
さらに、押さえ棒６１の回動範囲を規定する機能を、ストッパ部２７、ストッパ面４５ａに果たさせるようにしたが、これらはケース体２０、下カバー４０のと一体に形成された一部分であるので、構成が簡単であり、組み付け容易化に寄与している。
【００４９】
また、譜面押さえユニット１０は、譜面受け部５に左右対称に配設されるが、構成は同一であるので、１種類のみ用意すればよく、製造コストが削減される。
【００５０】
なお、本実施の形態では、譜面押さえユニットを天板上に設けた場合を例示したが、譜面の下縁を受けるように構成された部分であれば、譜面押さえユニットを設ける場所は、天板上に限ることなく屋根板上や専用の譜面台上でもよく、卓上鍵盤楽器においてはパネル面上でもよい。
【００５２】
【発明の効果】
以上説明したように、本発明の請求項１の鍵盤楽器の譜面台装置によれば、譜面押さえ用機構のユニット化により組み付けを容易にすることができる。
【００５３】
請求項４に係る譜面受け構造によれば、譜面を押さえる際の譜面押さえ用部材の起立操作を容易にすることができる。
【図面の簡単な説明】
【図１】  本発明の一実施の形態に係る譜面受け構造を備えた鍵盤楽器の外観斜視図である。
【図２】  譜面押さえユニットの構成を示す平面図（同図（ａ））、側面図（同図（ｂ））、及び底面図（同図（ｃ））である。
【図３】  譜面押さえユニットの分解斜視図であり、ケース体（同図（ａ））、回動体（同図（ｂ））及び下カバー（同図（ｃ））を示す図である。
【図４】  下カバーの構成を示す側面図（同図（ａ））、底面図（同図（ｂ））である。
【図５】  ケース体の底面図である。
【図６】  図２（ａ）のＡ−Ａ線に沿う断面図である。
【図７】  譜面押さえユニットを楽器本体に取り付けた状態を示す部分断面図である。
【符号の説明】
１  鍵盤楽器本体、  ４  天板、  ５  譜面受け部、  ６  譜面板、  １０  譜面押さえユニット、  ２０  ケース体（本体）、  ２５  指入れ用凹部、  ２６  収容溝、  ２７  ストッパ部、  ２８  当接面、  ２９  軸受け用凹面、  ４０  下カバー、  ４５  凹部、  ４５ａ  ストッパ面（ストッパ部）、  ４６当接面、  ４７  軸受け用凹面、  ６０  回動体、  ６１  押さえ棒（譜面押さえ用部材）、  ６１ａ  先端部（自由端部）、  ６２  軸、  ６３  ブシュ
【図１】
0003777994.tif 000002
【図２】
0003777994.tif 000003
【図３】
0003777994.tif 000004
【図４】
0003777994.tif 000005
【図５】
0003777994.tif 000006
【図６】
0003777994.tif 000007
【図７】
0003777994.tif 000008